(57)【要約】【課題】一つの防水材で上記バルコニー壁端面の様々な箇所に設置することを可能とすることにより、バルコニー壁を防水するために必要な防水材の種類を減少させる。【解決手段】バルコニー壁のフレーム材を被覆する第一防水材１であって、かかる防水材１は、第一被覆部１１ａと第二被覆部１１ｂとを具備して各々の部分は略直角をなす状態でつながる主部材１１と、主部材１１の一端から主部材１１と略垂直な方向に沿って主部材１１の凸側に略Ｌ字板状をなして突出している端部材１２とを備えている。そして、第一被覆部１１ａと第二被覆部１１ｂとの境界部分の長さＬ１、及び、第一被覆部１１ａと端部材１２との境界部分の長さＬ２、及び、第二被覆部１１ｂと端部材１２との境界部分の長さＬ３、及び、端部材１２の幅長Ｌ４１、Ｌ４２は、いずれも略等しい長さとなっている。【選択図】      図１
2004239022.tif 000002
【特許請求の範囲】
【請求項１】
バルコニー壁内部のフレーム材端面、及び、当該端面を挟む側面のうちの一側面に取り付けることにより、バルコニー壁内部への浸水を防止するバルコニー壁用防水材であって、
板状に形成され、相互に略直角をなす状態でつながる第一被覆部と第二被覆部とを備えた主部材と、
上記主部材の一端から上記主部材と略垂直な方向に沿って上記主部材の凸側に突出する板状に形成された端部材とを備え、
上記第一被覆部と上記第二被覆部との境界部分の長さ、及び、上記第一被覆部と上記端部材との境界部分の長さ、及び、上記第二被覆部と上記端部材との境界部分の長さは、いずれも上記フレーム材の幅長の半分以上かつ幅長以下であることを特徴とするバルコニー壁用防水材。
【請求項２】
上記端部材の寸法のうち、上記第一被覆部と上記端部材との境界部分が延びる方向と直交する方向の寸法、及び、上記第二被覆部と上記端部材との境界部分が延びる方向と直交する方向の寸法が、各々フレーム材の幅長以下であることを特徴とする請求項１記載のバルコニー壁用防水材。
【請求項３】
バルコニー壁内部のフレーム材端面、及び、当該端面を挟む側面のうちの一側面に取り付けることにより、バルコニー壁内部への浸水を防止するバルコニー壁用防水材であって、
板状に形成され、相互に略直角をなす状態でつながる第一被覆部と第二被覆部とを備えた主部材と、
上記主部材の一端に、上記主部材と略垂直で、かつ、上記主部材の凸方向側に突出する方向に一定幅の略Ｌ形板状に形成された端部材とを備え、
上記第一被覆部と上記第二被覆部との境界部分の長さ、及び、上記第一被覆部と上記端部材との境界部分の長さ、及び、上記第二被覆部と上記端部材との境界部分の長さ、及び、上記端部材の幅長は、互いに略等しいことを特徴とするバルコニー壁用防水材。
【請求項４】
建築物の壁面から突出するように設置されたバルコニー壁のフレーム材端面、及び、当該端面を挟む側面のうちの一側面に対し、請求項１乃至３のいずれかに記載のバルコニー壁用防水材であって互いに同一形状である複数の防水材を、上記フレーム材端面と建築物の壁面との境界箇所、及び、上記フレーム材端面同士が側方から見て略９０度の角度を挟んで当接する箇所に設置することにより、上記フレーム材端面を被覆したバルコニー壁の防水構造であって、
上記防水材の各設置箇所では、二個の防水材が対をなして上記フレーム材端面及びその端面を挟む両側面を被覆し、かつ、かかる防水材同士が一部重なり合うことにより上記フレーム材端面を被覆するようにこれらの防水材が設置され、
上記フレーム材端面と建築物の壁面との境界箇所においては、各防水材の第一被覆部及び第二被覆部が上記フレーム材端面及び側面に接触し、かつ、端部材が上記建築物の壁面に当接するように両防水材が設置され、
上記フレーム材端面同士が、側方から見て略９０度の角度を挟んで当接する箇所においては、各防水材の上記第一被覆部及び上記第二被覆部が上記フレーム材端面同士の当接箇所に接触又は略接触し、かつ、各防水材の端部材が上記フレーム材端面の側面に接触するように設置されている
ことを特徴とするバルコニー壁の防水構造。
【請求項５】
建築物の壁面から突出するように設置されたバルコニー壁のフレーム材端面、及び、当該端面を挟む側面のうちの一側面に対し、請求項２乃至３のいずれかに記載のバルコニー壁用防水材であって互いに同一形状である複数の防水材を、上記フレーム材端面と建築物の壁面との境界箇所、及び、上記フレーム材端面同士が側方から見て略９０度の角度を挟んで当接する箇所、及び、上記フレーム材の内側面同士が上方から見て略９０度の角度を挟んで当接する箇所に設置することにより、上記フレーム材端面を被覆したバルコニー壁の防水構造であって、
上記フレーム材端面と建築物の壁面との境界箇所、及び、上記フレーム材端面同士が、側方から見て略９０度の角度を挟んで当接する箇所では、二個の防水材が対をなして上記フレーム材端面及びその端面を挟む両側面を被覆し、かつ、かかる防水材同士が一部重なり合うことにより上記フレーム材端面を被覆するように両防水材が設置され、
上記フレーム材端面と建築物の壁面との境界箇所においては、各防水材の第一被覆部及び第二被覆部が上記フレーム材端面及び側面に接触し、かつ、端部材が上記建築物の壁面に当接するように両防水材が設置され、
上記フレーム材端面同士が、側方から見て略９０度の角度を挟んで当接する箇所においては、各防水材の上記第一被覆部及び上記第二被覆部が上記フレーム材端面同士の当接箇所に接触又は略接触し、かつ、各防水材の端部材が上記フレーム材端面の側面に接触するように両防水材が設置され、
上記フレーム材の端面同士が、上方から見て略９０度の角度を挟んで当接する箇所においては、上記防水材が、上記端部材が上記フレーム材端面に接触し、上記第一被覆部及び上記第二被覆部が、上記当接箇所の内側面に接触するように設置された
ことを特徴とするバルコニー壁の防水構造。
【請求項６】
建築物の第一壁面から突出するように設置されたバルコニー壁のフレーム材端面、及び、当該端面を挟む側面のうちの一側面に対し、請求項１乃至３のいずれかに記載のバルコニー壁用防水材であって互いに同一形状である複数の防水材を、少なくとも上記フレーム材端面と建築物の第一壁面との境界箇所で、かつ、上記フレーム材外側面と、上記建築物の第一壁面と略直交する第二壁面とが略同一面の状態に構成された箇所に設置することにより、上記フレーム材端面を被覆したバルコニー壁の防水構造であって、
上記防水材の設置箇所では、二個の防水材が対をなして上記フレーム材端面及びその端面を挟む両側面を被覆し、かつ、かかる防水材同士が一部重なり合うことにより上記フレーム材端面を被覆するようにこれらの防水材が設置され、
そのうち一方の防水材が、その第一被覆部及び第二被覆部が上記フレーム材端面及び側面に接触し、かつ、上記端部材が上記建築物の第一壁面に接触するように設置され、
他方の防水材は、その第一被覆部及び第二被覆部が上記フレーム材端面及び上記建築物の壁面に接触し、かつ、上記端部材の一部が上記フレーム材側面に当接し、その他の部分の端部材は、上記第二壁面に当接するように設置されている
ことを特徴とするバルコニー壁の防水構造。
【請求項７】
請求項６記載のバルコニー壁の防水構造であって、
上記バルコニー壁の防水材は、上記フレーム材端面同士が側方から見て略９０度の角度を挟んで当接する箇所にも設置され、
かかる箇所においては、二個の防水材の第一被覆部及び第二被覆部が上記フレーム材端面同士の当接箇所に接触又は略接触し、かつ、各防水材の端部材が上記フレーム材端面の側面に接触し、かかる防水材同士が一部重なり合うことにより上記フレーム材端面及びその端面を挟む両側面を被覆するように設置されている
ことを特徴とするバルコニー壁の防水構造。
【発明の詳細な説明】
【０００１】
【発明の属する技術分野】
本発明は、木造住宅等のバルコニー壁内部への浸水を防止する防水材、及び、その防水材を用いた防水構造に関するものである。
【０００２】
【従来の技術】
従来、木造住宅等のバルコニー壁において、笠木同士の継ぎ目等からバルコニー壁内部への浸水を防止する防水材としては、例えば特許文献１のようなものが存在する。この防水材１０１（特許文献１では、外壁取合具パーツ）は、図１０に示すように、略Ｌ字型をした端板１０１ｃと、かかるＬ字型の内側の二辺から各々略垂直に立直する水平板１０１ａおよび垂直板１０１ｂとから構成されている。また、上記水平板１０１ａ及び上記垂直板１０１ｂには、かかる立直方向と垂直方向に水切溝１０１ａ’が設けられている。
【０００３】
そして、かかる防水材１０１は、図２のＡの位置、すなわち、バルコニー壁５１と建築物の壁面ＷＡとの取り合いの位置に下記のように設置することが可能である。
【０００４】
まず、二個の防水材１０１を用意し、図１１（ａ）のように、一方の防水材１０１を、端板１０１ｃをバルコニー壁のフレーム材端面Ｋと建築物壁面Ｗとの取合いの片側に合わせて当接させ、水平板１０１ａおよび垂直板１０１ｂの裏側に塗布されている接着剤により防水材１０１をフレーム材端面Ｋに固定する。次に、他方の防水材１０１を、既に取り付けた防水材１０１とは反対側の取合いの片側に、既に取り付けた防水材１０１と同様の手順で設置し、図１１（ｂ）のように水平板１０１ａ同士を重ね合わせる。
【０００５】
【特許文献１】
実登２５１３１５７号公報
【０００６】
【発明が解決しようとする課題】
バルコニー壁５１内部への浸水を防止する場合、バルコニー壁端面と建築物壁面との取り合いのみに防水材を設置するだけでなく、様々な箇所に防水材を設置するほうがより好ましい。そして、かかる場合において、例えば、図２のＢの位置、すなわち、バルコニー壁の端面同士が略９０度の角度を挟んで当接する部分に設置することが想定される。しかしながら、上記のような防水材１０１を用いると、水平板１０１ａ及び垂直板１０１ｂの立直長さは、バルコニー壁のフレーム材端面Ｋの幅に比べて長いため、このような位置に設置しようとしても、水平板１０１ａ及び垂直板１０１ｂがバルコニー壁の端面からはみ出してしまい、対応することが出来ない。
【０００７】
よって、様々な箇所に設置するためには、その設置箇所に見合った形状の防水材を多数種用意する必要があり、バルコニー壁の防水構造を構築する上で、製造コスト等の点において負担となってきた。
【０００８】
本発明は、一つの防水材で上記バルコニー壁端面の様々な箇所に設置することを可能とすることにより、かかる課題を解決するものである。
【０００９】
【課題を解決するための手段】
本発明は、バルコニー壁内部のフレーム材端面、及び、当該端面を挟む側面のうちの一側面に取り付けることにより、バルコニー壁内部への浸水を防止するバルコニー壁用防水材であって、板状に形成され、相互に略直角をなす状態でつながる第一被覆部と第二被覆部とを備えた主部材と、上記主部材の一端から上記主部材と略垂直な方向に沿って上記主部材の凸側に突出する板状に形成された端部材とを備え、上記第一被覆部と上記第二被覆部との境界部分の長さ、及び、上記第一被覆部と上記端部材との境界部分の長さ、及び、上記第二被覆部と上記端部材との境界部分の長さは、いずれも上記フレーム材の幅長の半分以上かつ幅長以下であることを特徴としたものである。
【００１０】
この防水材は、上記第一被覆部と上記第二被覆部との境界部分の長さ、及び、上記第一被覆部と上記端部材との境界部分の長さ、及び、上記第二被覆部と上記端部材との境界部分の長さは、いずれも上記フレーム材の幅長の半分以上かつ幅長以下であるため、請求項４記載のようなバルコニー壁の防水構造を構築することが出来る。
【００１１】
すなわち、建築物の壁面から突出するように設置されたバルコニー壁のフレーム材端面、及び、当該端面を挟む側面のうちの一側面に対し、上記バルコニー壁用防水材であって互いに同一形状である複数の防水材を、上記フレーム材端面と建築物の壁面との境界箇所、及び、上記フレーム材端面同士が側方から見て略９０度の角度を挟んで当接する箇所に設置することにより、上記フレーム材端面を被覆したバルコニー壁の防水構造であって、上記防水材の各設置箇所では、二個の防水材が対をなして上記フレーム材端面及びその端面を挟む両側面を被覆し、かつ、かかる防水材同士が一部重なり合うことにより上記フレーム材端面を被覆するようにこれらの防水材が設置され、上記フレーム材端面と建築物の壁面との境界箇所においては、各防水材の第一被覆部及び第二被覆部が上記フレーム材端面及び側面に接触し、かつ、端部材が上記建築物の壁面に当接するように両防水材が設置され、上記フレーム材端面同士が側方から見て略９０度の角度を挟んで当接する箇所においては、各防水材の上記第一被覆部及び上記第二被覆部が上記フレーム材端面同士の当接箇所に接触又は略接触し、かつ、各防水材の端部材が上記フレーム材端面の側面に接触するように設置されているバルコニー壁の防水構造を構築することが可能となる。
【００１２】
また、請求項６記載のような、建築物の第一壁面から突出するように設置されたバルコニー壁のフレーム材端面、及び、当該端面を挟む側面のうちの一側面に対し、上記バルコニー壁用防水材であって互いに同一形状である複数の防水材を、少なくとも上記フレーム材端面と建築物の第一壁面との境界箇所で、かつ、上記フレーム材外側面と、上記建築物の第一壁面と略直交する第二壁面とが略同一面の状態に構成された箇所に設置することにより、上記フレーム材端面を被覆したバルコニー壁の防水構造であって、上記防水材の設置箇所では、二個の防水材が対をなして上記フレーム材端面及びその端面を挟む両側面を被覆し、かつ、かかる防水材同士が一部重なり合うことにより上記フレーム材端面を被覆するようにこれらの防水材が設置され、そのうち一方の防水材が、その第一被覆部及び第二被覆部が上記フレーム材端面及び側面に接触し、かつ、上記端部材が上記建築物の第一壁面に接触するように設置され、他方の防水材は、その第一被覆部及び第二被覆部が上記フレーム材端面及び上記建築物の壁面に接触し、かつ、上記端部材の一部が上記フレーム材側面に当接し、その他の部分の端部材は、上記第二壁面に当接するように設置されているバルコニー壁の防水構造を構築することも可能となる。
【００１３】
さらには、請求項７記載のような、請求項６記載のバルコニー壁の防水構造であって、上記バルコニー壁の防水材は、上記フレーム材端面同士が側方から見て略９０度の角度を挟んで当接する箇所にも設置され、かかる箇所においては、二個の防水材の第一被覆部及び第二被覆部が上記フレーム材端面同士の当接箇所に接触又は略接触し、かつ、各防水材の端部材が上記フレーム材端面の側面に接触し、かかる防水材同士が一部重なり合うことにより上記フレーム材端面及びその端面を挟む両側面を被覆するように設置されているバルコニー壁の防水構造を構築することも可能となる。
【００１４】
したがって、バルコニー壁の防水を行う際、同一形状のバルコニー壁用防水材を用いて互いに異なる配置対応のバルコニー壁のフレーム材端面に設置することが出来るため、かかる防水構造に使用する防水材の種類を減少させることが可能となる。
【００１５】
また、請求項２の発明は、上記端部材の寸法のうち、上記第一被覆部と上記端部材との境界部分が延びる方向と直交する方向の寸法、及び、上記第二被覆部と上記端部材との境界部分が延びる方向と直交する方向の寸法が、各々フレーム材の幅長以下であるものである。
【００１６】
この場合、請求項５記載のようなバルコニー壁の防水構造を構築することが出来る。すなわち、建築物の壁面から突出するように設置されたバルコニー壁のフレーム材端面、及び、当該端面を挟む側面のうちの一側面に対し、上記バルコニー壁用防水材であって互いに同一形状である複数の防水材を、上記フレーム材端面と建築物の壁面との境界箇所、及び、上記フレーム材端面同士が側方から見て略９０度の角度を挟んで当接する箇所、及び、上記フレーム材の内側面同士が上方から見て略９０度の角度を挟んで当接する箇所に設置することにより、上記フレーム材端面を被覆したバルコニー壁の防水構造であって、上記フレーム材端面と建築物の壁面との境界箇所、及び、上記フレーム材端面同士が、側方から見て略９０度の角度を挟んで当接する箇所では、二個の防水材が対をなして上記フレーム材端面及びその端面を挟む両側面を被覆し、かつ、かかる防水材同士が一部重なり合うことにより上記フレーム材端面を被覆するように両防水材が設置され、上記フレーム材端面と建築物の壁面との境界箇所においては、各防水材の第一被覆部及び第二被覆部が上記フレーム材端面及び側面に接触し、かつ、端部材が上記建築物の壁面に当接するように両防水材が設置され、上記フレーム材端面同士が側方から見て略９０度の角度を挟んで当接する箇所においては、各防水材の上記第一被覆部及び上記第二被覆部が上記フレーム材端面同士の当接箇所に接触又は略接触し、かつ、各防水材の端部材が上記フレーム材端面の側面に接触するように両防水材が設置され、上記フレーム材の端面同士が上方から見て略９０度の角度を挟んで当接する箇所においては、上記防水材が、上記端部材が上記フレーム材端面に接触し、上記第一被覆部及び上記第二被覆部が、上記当接箇所の内側面に接触又は略接触するように設置されたバルコニー壁の防水構造を構築することが可能となる。
【００１７】
よって、かかる防水構造に使用する防水材の種類をさらに減少させることが可能となる。
【００１８】
請求項３記載の発明は、バルコニー壁内部のフレーム材端面、及び、当該端面を挟む側面のうちの一側面に取り付けることにより、バルコニー壁内部への浸水を防止するバルコニー壁用防水材であって、板状に形成され、相互に略直角をなす状態でつながる第一被覆部と第二被覆部とを備えた主部材と、上記主部材の一端に、上記主部材と略垂直で、かつ、上記主部材の凸方向側に突出する方向に一定幅の略Ｌ形板状に形成された端部材とを備え、上記第一被覆部と上記第二被覆部との境界部分の長さ、及び、上記第一被覆部と上記端部材との境界部分の長さ、及び、上記第二被覆部と上記端部材との境界部分の長さ、及び、上記端部材の幅長は、互いに略等しいことを特徴とするバルコニー壁用防水材である。
【００１９】
この構成によれば、上記各境界部分の長さ、及び、上記端部材の幅長以上で、かつ、これらの長さより二倍以下の幅長をもつ上記フレーム材に適用することにより、請求項４及び請求項５記載のバルコニー壁の防水構造を採ることが可能となる。よって、かかる防水構造に使用する防水材の種類を減少させることが可能となる。
【００２０】
【発明の実施の形態】
本発明の実施形態について、図１〜図８を用いて説明する。ただし、本発明は以下の実施形態に限定されることはない。
【００２１】
第一実施形態（図１〜図８参照）
まず、本発明のバルコニーの構造の概要につき、図１を用いて説明する。バルコニーＢＡの周縁は、建築物の第一壁面ＷＡとバルコニー用壁５１によって囲まれるように設置されている。
【００２２】
バルコニー壁５１は、図１、図２に示すように、その最表面には、バルコニー壁５１の内側面に配設された内側壁材５５と、外側面に配設された外側壁材５７と、かかる両部材の上端を覆うように配設された笠木５３とを備えている。そして、笠木５３と内側壁材５５との間隙、及び、笠木５３と外側壁材５７との間隙にシーリング材５９が詰められている。
【００２３】
そして、バルコニー壁５１の内部には、図２に示すように、フレーム材６０、及び、胴縁６７、及び、防水材Ｓが配置されている。フレーム材６０は、内側壁材５５と、外側壁材５７との間に各々の壁材から一定の間隙を設けて配設され、かかる間隙には胴縁６７が各々配設されている。また、フレーム材６０の端面６１及び内側面６３及び外側面６５を覆うように防水材Ｓ及び防水シート４１が配設されている。
【００２４】
バルコニー壁５１を防水する防水材Ｓは、図３（ａ）〜（ｄ）に記載される第一防水材１（本発明におけるバルコニー壁用防水材に相当）、及び、第二防水材２、及び、中間防水材３が用いられている。
【００２５】
図３（ａ）は、第一防水材１であって、主部材１１と、端部材１２とを備えている。主部材１１及び端部材１２は、主に、ポリエチレン、ＥＶＡ（エチレン−酢酸ビニル共重合体）、塩化ビニル、ブチルゴム等の合成樹脂製の板やシート等を用いられている。
【００２６】
主部材１１は、第一被覆部１１ａと第二被覆部１１ｂとを備え、各々の部分は略直角をなす状態でつながっている。すなわち、主部材１１は、略Ｌ字型の断面を持つ形態となっている。また、端部材１２は、主部材１１の一端から主部材１１と略垂直な方向に沿って主部材１１の突出側（凸側）に略Ｌ字板状をなして突出している。
【００２７】
なお、上記「突出側」につき、主部材１１の断面図である図３（ｄ）を用いて説明すると、上記「突出側」とは、第一被覆部１１ａ又は第二被覆部１１ｂが存在する位置から、第一被覆部１１ａと第二被覆部１１ｂとの二つの部材で区切られた領域のうち略２７０度の角度を挟んで上記二つの部材により区切られた領域（領域Ｏに相当）へ向かう方向のことを差す。
【００２８】
そして、図３（ａ）に戻って続きを説明すると、第一被覆部１１ａと第二被覆部１１ｂとの境界部分の長さＬ１、及び、第一被覆部１１ａと端部材１２との境界部分の長さＬ２、及び、第二被覆部１１ｂと端部材１２との境界部分の長さＬ３、及び、端部材１２の幅長Ｌ４１、Ｌ４２は、いずれも略等しい長さとなっており、これらの長さは、フレーム材端面６１の幅長Ｗｉ（図２参照）の半分以上、かつ、上記幅長以下である。
【００２９】
図３（ｂ）は、第二防水材２であって、基部材２１と、第一側部材２２と、第二側部材２３とを備え、各々略長方形板の形状をなし、かつ、第一側部材２２、及び、第二側部材２３は、基部材２１の隣接する二辺からこの基部材２１と略垂直を成すように各々構成され、これらの部材は一体となっている。
【００３０】
図３（ｃ）は、中間防水材３であって、一定幅Ｗを保って帯状に延びるシート状又は薄板状に構成されている。そして、中間防水材３には、幅方向一端側から順番に、第一側面部３２、及び、上面部３１、及び、第二側面部３３とが設けられ、各々一定の幅長Ｗ２、Ｗ１、Ｗ３を保って長さ方向に延びている。なお、Ｗ１は、フレーム材端面６１の幅長Ｗｉ（図２参照）以下である。また、第一側面部３２と上面部３１との境界部分、及び、上面部３１と第二側面部３３との境界部分には、凹凸部３４が設けられている。なお、この凹凸部３４は必ずしも形成されている必要はない。なお、第二防水材２及び中間防水材３に使用する材質は、主に第一防水材１に使用されているものを用いる。
【００３１】
なお、第一防水材１が設置する位置につき、図１を用いて説明すると、第一防水材１は、バルコニー壁５１と建築物の第一壁面ＷＡとの境界部分並びにその周辺部分（Ａ箇所、及び、Ａ’箇所）、及び、側方から見て略９０度の角度を挟んでバルコニー壁５１の端面同士が当接する部分並びにその周辺部分（Ｂ箇所）、及び、上方から見て略９０度の角度を挟んでバルコニー壁５１の端面同士が当接する部分並びにその周辺部分（Ｃ箇所）に取り付けられる。
【００３２】
以下、図４を用いて、上記の防水材Ｓ及び防水シート４１を用いてＡ箇所を防水する防水構造を構築する方法につき説明する。
【００３３】
まず、図４（ａ）に示すように、中間防水材３の上面部３１をフレーム材端面６１に接触させるように設置し、上記凹凸部３４をその長さ方向と平行に折り曲げて、第一側面部３２（図示せず）、及び、第二側面部３３が、フレーム材端面６１を挟む側面に各々接触するように設置する。
【００３４】
次に、図４（ｂ）に示すように、二個の第一防水材１を使用し、一方の第一防水材１については、第二被覆部１１ｂがフレーム材端面６１に接触し、第一被覆部１１ａがフレーム材内側面６３に接触し、端部材１２が建築物の壁面ＷＡに接触するように設置する。そして、他方の第一防水材１については、第一被覆部１１ａが、その一部が既に設置した第一防水材１の第二被覆部１１ｂと重なるようにフレーム材端面６１に接触し、第二被覆部１１ｂがフレーム材外側面（図４（ｂ）では図示せず）に接触し、端部材１２が建築物の壁面ＷＡに接触するように設置する。なお、第一被覆部１１ａと第二被覆部１１ｂとが重なりあう部分、及び、建築物の壁面ＷＡと端部材１２とが接触する部分については、接着テープ１５によって接着させている。
【００３５】
そして、図４（ｃ）に示すように、フレーム材内側面６３に、防水シート４１設置する。なお、図示していないが、フレーム材外側面６５にも、防水シート４１を同様に設置する。
【００３６】
以上より、Ａ箇所、すなわち、フレーム材端面６１と建築物壁面ＷＡとの境界部分並びにその周辺部分においては、第一被覆部１１ａ及び第二被覆部１１ｂがフレーム材の端面６１及び内側面６３、又は、フレーム材の端面６１及び外側面６５に接触し、かつ、端部材１２が建築物の壁面ＷＡに当接するように二つの第一防水材１が設置されている。そして、当該第一防水材１同士がフレーム材の端面６１でその一部が重なり合うことで、フレーム材の端面６１、及び、内側面６３、及び、外側面６５が、上記第一防水材１で被覆されている。
【００３７】
また、バルコニー壁５１と建築物の第一壁面ＷＡ部分との境界部分並びにその周辺部分のうち、フレーム材外側面６５と、第一壁面ＷＡと略直交する第二壁面ＷＢとが略同一面の状態に構成されたＡ’箇所を、上記の防水材Ｓ及び防水シート４１を用いて防水する防水構造つき、図５を用いて説明する。なお、Ａ箇所と同構成の部分については、その説明を省略する。
【００３８】
一方の第一防水材１（図５においては左側に位置する第一防水材１）は、第一被覆部１１ａ及び第二被覆部１１ｂがフレーム材の端面６１及び内側面に接触し、かつ、端部材１２が建築物の第一壁面ＷＡに当接するように設置されている。また、他方の防水材１（図５においては右側に位置する第一防水材１）は、第一被覆部１１ａ及び第二被覆部１１ｂがフレーム材端面６１及び建築物の第一壁面ＷＡに当接するように接触し、かつ、端部材１２の一部がフレーム材外側面６５に接触し、残りの部分が第二壁面ＷＢに接触する。そして、当該第一防水材１同士がフレーム材の端面６１でその一部が重なり合うことで、フレーム材の端面６１、及び、内側面６３、及び、外側面６５が、二個の第一防水材１で被覆されている。
【００３９】
次に、図６を用いて、上記Ｂ箇所を防水材で覆う方法につき、説明する。
【００４０】
まず、図６（ａ）に示すように、二個の中間防水材３が、フレーム材端面６１同士が当接する箇所ＴＯを挟んで設置される。なお、各々の中間防水材３の設置状況については、上記Ａ箇所に設置する場合と同様、上面部３１を、フレーム材端面６１に接触し、上記凹凸部３４をその長さ方向と平行に折り曲げて、第一側面部３２、及び、第二側面部３３が、フレーム材端面６１を挟む内側面６３（図４参照）、及び、外側面６５に各々接触するように設置する。
【００４１】
次に、図６（ｂ）に示すように、二個の第一防水材１を使用し、各々の第一防水材１については、第一被覆部１１ａ及び第二被覆部１１ｂが上記二面のフレーム材端面６１に接触し、端部材１２が、フレーム材端面６１を挟む内側面６３、外側面６５に各々接触し、かつ、フレーム材端面６１上の第一被覆部１１ａ及び第二被覆部１１ｂの一部が各々他方の防水材１に重なるように設置する。
【００４２】
なお、図示していないが、第一防水材１同士が重なり合う部分、及び、建築物の側面６３、６５と端部材１２とが接触する部分については、接着テープ１５によって接着させている。
【００４３】
そして、図６（ｃ）に示すように、フレーム材外側面６５に防水シート４１を設置する。なお、図示されていないが、フレーム材内側面６３にも、防水シート４１をＡ箇所に設置した場合と同様に設置する。
【００４４】
以上より、Ｂ箇所、すなわち、フレーム材端面６１同士が、側方から見て略９０度の角度を挟んで当接する位置、並びに、その周辺箇所においては、第一防水材１の第一被覆部１１ａ及び第二被覆部１１ｂがフレーム材端面６１同士の当接箇所ＴＯに接触又は略接触する状況、かつ、第一防水材１の端部材１２各々がフレーム材端面の側面６３、６５に接触するように設置されている。さらに、当該第一防水材１同士がフレーム材の端面６１でその一部が重なり合うことで、フレーム材の端面６１、及び、内側面６３、及び、外側面６５が、上記第一防水材１で被覆されている。
【００４５】
また、図８を用いて、上記Ｃ箇所を防水材で覆う方法につき説明する。なお、上記Ｃ箇所に使用する中間防水材は、図７（ａ）記載の中間防水材３’のように、上面部３１’の端部３１ａ’が斜めになっており、第一側面部３２’と第二側面部３３’との端部が、長さ方向にずれているものである。
【００４６】
まず、図８（ａ）に示すように、二個の中間防水材３’が、フレーム材端面６１の内側面同士が当接する箇所ＴＯ２を挟んで設置される。なお、各々の中間防水材３の設置状況については、上記Ａ箇所に設置する場合と同様、上面部３１を、フレーム材端面６１に接触し、上記凹凸部３４’をその長さ方向に折り曲げて、第一側面部３２’、及び、第二側面部３３’が、フレーム材端面６１を挟む内側面、及び、外側面６５に各々接触するように設置する。なお、かかる設置を行う場合、上面部３１’の端部３１ａ’同士が、対向する状態で行われている。
【００４７】
次に、図８（ｂ）に示すように、中間防水材３’の間を、第二防水材２と、第一防水材１とで被覆する。
【００４８】
具体的には、第二防水材２を、フレーム材端面６１の外側面６５同士が略２７０度の角度を挟んで当接する位置ＴＯ３に設置する。かかる設置状況としては、第一側部材２２及び第二側部材２３がフレーム材端面６１の外側面６５に接し、基部材２１がフレーム材端面６１に接する状態になっている。
【００４９】
そして、第一防水材１を、フレーム材端面６１の内側面同士が略９０度の角度を挟んで当接する位置ＴＯ２に設置する。かかる場合、第一被覆部１１ａ及び第二被覆部１１ｂが、上記二面のフレーム材内側面６３に接触し、端部材１２がフレーム材端面６１に接触し、フレーム材端面６１上の端部材１２の一部が第二防水材２の基部材２１に重なるように設置する。
【００５０】
さらに、図６（ｃ）に示すように、フレーム材外側面６５に、防水シート４１設置する。なお、図示されていないが、フレーム材内側面６３にも、防水シート４１を同様に設置する。
【００５１】
以上より、Ｃ箇所、すなわちフレーム材端面６１同士が、上方から見て略９０度の角度を挟んで当接する部分ＴＯ２、並びに、その周辺部分においては、第一防水材１の端部材１２がフレーム材端面６１に接触し、第一被覆部１１ａ及び第二被覆部１１ｂが、フレーム材内側面６３に接触するように第一防水材１が設置されている。
【００５２】
上述のとおり、本実施形態においては、第一防水材１の寸法のうち、第一被覆部１１ａと第二被覆部１１ｂとの境界部分の長さＬ１、及び、第一被覆部１１ａと端部材１２との境界部分の長さＬ２、及び、第二被覆部１１ｂと端部材１２との境界部分の長さＬ３は、フレーム材端面６１の幅長の半分以上かつ幅長以下である。したがって、第一防水材１は、上記Ａ箇所であるフレーム材端面６１と建築物の壁面ＷＡとの境界箇所、及び、上記Ｂ箇所であるフレーム材端面６１同士が側方から見て略９０度の角度を挟んで当接する箇所に設置することが可能となる。すなわち、同一形状の防水材で異なる配置対応のバルコニー壁５１のフレーム材端面６１に設置することが出来るため、バルコニー壁５１の防水構造に使用する防水材の種類を減少させることが可能となる。
【００５３】
また、第一防水材１の寸法のうち、端部材１２の幅長Ｌ４１、Ｌ４２は、いずれも略等しい長さとなっており、これらの長さは、バルコニー壁５１のフレーム材端面６１の幅長以下である。よって、上記Ａ、Ｂ箇所のみならず、Ｃ箇所、すなわち、フレーム材の内側面同士が上方から見て略９０度の角度を挟んで当接する箇所にも設置することが可能となり、バルコニー壁５１の防水構造に使用する防水材の種類をさらに減少させることが可能となる。
【００５４】
以下の実施形態において、第一実施形態と同一部分には同一符号を付して示し、その重複説明を省略する。
【００５５】
第二実施形態（図７、図９参照）
Ｃ箇所を防水材で覆う方法について、他の実施形態を説明する。
【００５６】
本実施形態で使用する第一防水材１、及び、中間防水材３には、第一実施形態と同形状のものを用いる。そして、本実施形態で用いる第二防水材２’は、図７（ｂ）に記載のように、基部材２１’が、略Ｌ字形状をしており、第一側部材２２’、及び、第二側部材２３’は、基部材２１’の外側二辺に基部材２１’と垂直を成すように各々構成され、これらの部材は一体となっている。
【００５７】
以下、これらの部材で、Ｃ箇所を覆う方法につき、図９を用いて説明する。
【００５８】
まず、図９（ａ）に示すように、二個の中間防水材３が、フレーム材端面６１の内側面同士が当接する箇所ＴＯ２を挟んで設置される。なお、各々の中間防水材３の設置状況については、上記Ａ箇所に設置する場合と同様、上面部３１を、フレーム材端面６１に接触し、上記凹凸部３４をその長さ方向に折り曲げて、第一側面部３２、及び、第二側面部３３が、フレーム材端面６１を挟む内側面６３、及び、外側面６５に各々接触するように設置する。
【００５９】
次に、図９（ｂ）に示すように、中間防水材３の間を、第二防水材２’と、第一防水材１とで被覆する。
【００６０】
具体的には、第二防水材２’を、フレーム材端面６１の外側面６５同士が略２７０度の角度を挟んで当接する位置ＴＯ３に設置する。かかる設置状況としては、第一側部材２２’及び第二側部材２３’がフレーム材端面６１の外側面６５に接し、基部材２１’がフレーム材端面６１に接する状態になっている。
【００６１】
そして、第一防水材１を、フレーム材内側面６３同士が略９０度の角度を挟んで当接する位置ＴＯ２に設置する。かかる場合、第一被覆部１１ａ及び第二被覆部１１ｂが、上記二面のフレーム材内側面６３に接触し、端部材１２がフレーム材端面６１に接触し、フレーム材端面６１上の端部材１２の一部が第二防水材２の基部材２１に重なるように設置する。最後に、第一実施形態と同様、フレーム材外側面６５及びフレーム材内側面６３に、防水シート４１を設置する（図９（ｃ）参照）。
【００６２】
このような場合においても、第一実施形態の場合と、同様の作用効果を得ることが可能となる。
【００６３】
その他実施形態
（１）  必ずしも、端部材１２は、略Ｌ字板状でなくてもよい。少なくとも、第一被覆部１１ａと端部材１２との境界部分が延びる方向と直交する方向の寸法に相当するＬ４１、及び、第二被覆部１１ｂと端部材１２との境界部分が延びる方向と直交する方向の寸法に相当するＬ４２がフレーム材の幅長以下であればよい。
【００６４】
（２）  Ａ箇所、及び、Ｂ箇所、及び、Ｃ箇所において、防水材を設置する手順については、必ずしも上記実施形態に限定されない。例えば、フレーム材６０の内側面６３及び外側面６５に防水シート４１を設置する手順を最初に行う等、設置順序は任意に入れ替えてもよい。
【００６５】
【発明の効果】
以上のように本発明のバルコニー壁用防水材は、上記第一被覆部と上記第二被覆部との境界部分の長さ、及び、上記第一被覆部と上記端部材との境界部分の長さ、及び、上記第二被覆部と上記端部材との境界部分の長さは、いずれも上記フレーム材の幅長の半分以上かつ幅長以下である。
【００６６】
したがって、バルコニー壁の防水を行う際、同一形状のバルコニー壁用防水材を用いて互いに異なる配置対応のバルコニー壁のフレーム材端面に設置することが出来るため、かかる防水構造に使用する防水材の種類を減少させることが可能となり、バルコニー壁の防水構造を構築する上での製造コスト等を軽減させることが出来る。
【００６７】
また、請求項２記載の発明のように、上記端部材の寸法のうち、上記第一被覆部と上記端部材との境界部分が延びる方向と直交する方向の寸法、及び、上記第二被覆部と上記端部材との境界部分が延びる方向と直交する方向の寸法が、各々フレーム材の幅長以下になるようにすると、かかるバルコニー用防水材が設置可能な箇所が増加するため、バルコニー壁の防水構造に使用する防水材の種類を減少させる上ではさらに有効である。
【図面の簡単な説明】
【図１】本発明の防水材を設置するバルコニー壁の概要を示した図である。
【図２】バルコニー壁の構造の概要図である。
【図３】本発明の第一実施形態であって、（ａ）は第一防水材、（ｂ）第二防水材、（ｃ）は中間防水材を示したものである。
【図４】図１のＡ箇所についての防水構造を構築する手順を説明した図である。
【図５】図２のＡ’箇所についての防水構造を構築する手順を説明した図である。
【図６】図２のＢ箇所についての防水構造を構築する手順を説明した図である。
【図７】（ａ）は、第一防水材の他の実施形態、（ｂ）は、第二防水材についての他の実施形態を示した図である。
【図８】図２のＣ箇所についての防水構造を構築する手順を説明した図である。
【図９】図２のＣ箇所について、他の実施形態の防水構造を構築する手順を説明した図である。
【図１０】従来のバルコニー壁用防水材を示した図である。
【図１１】従来のバルコニー壁用防水材を用いて防水構造を構築する手順を説明した図である。
【符号の説明】
１  第一防水材（バルコニー壁用防水材）
１１  主部材
１１ａ  第一被覆部
１１ｂ  第二被覆部
１２  端部材
５１  バルコニー壁
６０  フレーム材
６１  フレーム材端面
６３  フレーム材内側面
６５  フレーム材外側面
【図１】
2004239022.tif 000003
【図２】
2004239022.tif 000004
【図３】
2004239022.tif 000005
【図４】
2004239022.tif 000006
【図５】
2004239022.tif 000007
【図６】
2004239022.tif 000008
【図７】
2004239022.tif 000009
【図８】
2004239022.tif 000010
【図９】
2004239022.tif 000011
【図１０】
2004239022.tif 000012
【図１１】
2004239022.tif 000013